(57)【要約】【課題】通電用導線が短絡事故を起こす前に電線の異常を検出し安全サイドに制御する。【解決手段】通電用導線１３１を第１の絶縁材料１３２で被覆し、その第１の絶縁材料１３２の周囲を導電網線１３３で包囲し、その導電網線１３３を第２の絶縁材料１３４で被覆した電線を定着ランプへのＡＣ電源の供給ラインとして使用する。そして、第２の絶縁材料の被覆が剥がれて導電網線がフレームグランドに接触すると、増幅器１６からの信号Ｓ１がハイレベルからローレベルに反転し、これにより、第１遮断機のソレノイドが動作しその接点を開放する。これにより、定着ランプへの通電を停止させる。【選択図】  図４
2005026075.tif 000002
【特許請求の範囲】
【請求項１】
通電用導線を第１の絶縁材料で被覆し、その第１の絶縁材料の周囲を導電網線で包囲し、その導電網線を第２の絶縁材料で被覆した電線を電源供給線として使用した電子機器において、前記電線における導電網線がフレームグランド等に接地したことを検出する検出手段と、この検出手段からの検出信号によって前記電線への電源供給を遮断する遮断機を設けたことを特徴とする電子機器の安全装置。
【請求項２】
通電用導線を第１の絶縁材料で被覆し、その第１の絶縁材料の周囲を導電網線で包囲し、その導電網線を第２の絶縁材料で被覆した電線を信号線として使用した電子機器において、前記電線における導電網線がフレームグランド等に接地したことを検出する検出手段と、この検出手段からの検出信号によって前記電子機器をフェールセーフ制御する制御手段を設けたことを特徴とする電子機器の安全装置。
【発明の詳細な説明】
【０００１】
【発明の属する技術分野】
本発明は、電子機器の安全装置に関する。
【０００２】
【従来の技術】
電子機器、例えば、画像形成装置の安全装置としては、トナー画像の定着を行う定着装置のヒータランプへの通電が、通電オフ指令を出しているにも拘わらず停止されずに通電を継続すると、その異常を検知して通電を遮断するものが知られている（例えば、特許文献１参照）。
【０００３】
このような画像形成装置において、例えば、図７に示すように、装置１内に設けた定着装置の定着ランプ２に対して、ＡＣ電源の供給ライン３からバイメタル式のブレーカや電子式ブレーカなどの第１遮断機４及び定着ランプ２に近接配置したサーモスタットなどの第２遮断機５を介してＡＣ交流電源を供給する構成のものが知られている。前記供給ライン３はコンセント、室内配線等を介して屋内に配置されている分電盤６に接続されている。この分電盤６には漏電検知機能を持った電子式ブレーカなどの第３遮断機７が設けられている。
【０００４】
【特許文献１】
特開平０５−１８１３８８号公報
【０００５】
【発明が解決しようとする課題】
このような画像形成装置において、ＡＣ電源の供給ライン３が装置１のフレームグランドにショートする短絡事故が発生すると、第１遮断機４が動作して装置１へのＡＣ電源の供給を停止させるが、その前に、分電盤６の第３遮断機７が動作する可能性が高く、第３遮断機７が先に動作すると、分電盤６に接続されている画像形成装置以外の他の電子機器に対しても電源の供給が停止されることになり、例えば、パーソナルコンピュータが接続されていて操作している場合に停電が発生するとデータが破壊されるなどの問題が発生する。
【０００６】
そこで本発明は、通電用導線を第１の絶縁材料で被覆し、その第１の絶縁材料の周囲を導電網線で包囲し、その導電網線を第２の絶縁材料で被覆した電線を使用し、通電用導線が短絡事故を起こす前に電線の異常を検出して安全サイドに制御できる電子機器の安全装置を提供する。
【０００７】
【課題を解決するための手段】
本発明は、通電用導線を第１の絶縁材料で被覆し、その第１の絶縁材料の周囲を導電網線で包囲し、その導電網線を第２の絶縁材料で被覆した電線を電源供給線として使用した電子機器において、電線における導電網線がフレームグランド等に接地したことを検出する検出手段と、この検出手段からの検出信号によって電線への電源供給を遮断する遮断機を設けた電子機器の安全装置にある。
【０００８】
【発明の実施の形態】
以下、本発明の実施の形態を、図面を参照して説明する。なお、この実施の形態は本発明を画像形成装置に適用したものについて述べる。
（第１の実施の形態）
図１に示すように、画像形成装置１１内に定着ランプ１２が設けられている。この定着ランプ１２は定着装置に設けた定着ローラ内に配置され、定着時に定着ローラを内側から加熱するようになっている。
【０００９】
前記定着ランプ１２は、外部からのＡＣ電源の供給ライン１３に対して、一端を電子式ブレーカからなる第１遮断機１４を介して接続されるとともに他端をサーモスタットからなる第２遮断機１５を介して接続されている。
【００１０】
前記第１遮断機１４は、図２に示すように、＋ＶＥ電源端子と接地間にＰＮＰ型トランジスタ１４１を介してソレノイド１４２を接続し、そのソレノイド１４２によって開閉する１対の接点１４２ａ，１４２ｂをＡＣ電源の供給ライン１３に直列に介挿している。そして、信号Ｓ１を、反転回路１４３を介して前記トランジスタ１４１のベースに供給するようにしている。
【００１１】
前記ＡＣ電源の供給ライン１３は、図３に示すように、通電用導線１３１を芯線とし、この通電用導線１３１を第１の絶縁材料１３２で被覆し、その第１の絶縁材料１３２の周囲を導電網線１３３で包囲し、その導電網線１３３を第２の絶縁材料１３４で被覆した電線で構成している。そして、＋ＶＣＣ電源端子と増幅器１６の入力端子との間に抵抗１７を接続し、その抵抗１７と増幅器１６の入力端子との接続点を前記供給ライン１３の導電網線１３３に接続して検出手段を構成している。前記増幅器１６の出力端子から信号Ｓ１を出力するようになっている。
【００１２】
前記ＡＣ電源の供給ライン１３は、コンセント、室内配線等を介して屋内に配置されている分電盤２１に接続されている。この分電盤２１には漏電検知機能を持った電子式ブレーカなどの第３遮断機２２が設けられている。
【００１３】
このような構成においては、ＡＣ電源の供給ライン１３が正常な場合は、＋ＶＣＣ電源端子の＋ＶＣＣが抵抗１７を介して増幅器１６に入力し、増幅器１６からハイレベルな信号Ｓ１が出力される。この信号Ｓ１は第１遮断機１４において反転回路１４３を介してトランジスタ１４１のベースに供給される。このようにＡＣ電源の供給ライン１３が正常な場合は、トランジスタ１４１がオン動作し、ソレノイド１４２が通電され、その接点１４２ａ，１４２ｂが閉成する。
【００１４】
従って、画像形成装置１１にＡＣ電源が投入されていない状態ではソレノイド１４２が非通電状態にあってその接点１４２ａ，１４２ｂが開放している。この状態でＡＣ電源の供給ライン１３から画像形成装置１１にＡＣ電源が投入されると、＋ＶＥ電源と＋ＶＣＣ電源が立ち上がり、ＡＣ電源の供給ライン１３が正常な状態であれば、増幅器１６からハイレベルな信号Ｓ１が出力される。これにより、ソレノイド１４２が動作しその接点１４２ａ，１４２ｂが閉成し、定着ランプ１２に対して通電が開始される。
【００１５】
ＡＣ電源の供給ライン１３が定着装置内においてモータの駆動軸に巻き込まれるなどして第２の絶縁材料１３４の被覆が剥がれ、図４に示すように、導電網線１３３が装置のフレームグランド１８に接触する異常が発生すると、抵抗１７と増幅器１６の入力端子との接続点が導電網線１３３を介してフレームグランド１８に短絡するので、増幅器１６からの信号Ｓ１はローレベルに反転する。このローレベルな信号Ｓ１は遮断信号として第１遮断機１４に入力される。
【００１６】
第１遮断機１４ではこの遮断信号によってトランジスタ１４１がオフされ、ソレノイド１４２への通電が停止される。これにより、接点１４２ａ，１４２ｂが開放する。すなわち，安全サイドに制御される。こうして、定着ランプ１２へのＡＣ電源の供給が停止され、安全性が確保される。また、この異常事態の発生が知らされる。例えば、画像形成装置１１の操作部に設けた表示器にサービスマンコールの表示を行って知らせる。
【００１７】
また、第２の絶縁材料１３４の被覆が剥がれ導電網線１３３がフレームグランド１８に接触した時点では、通電用導線１３１は短絡状態にはないので、分電盤２１の第３遮断機２２が動作することはない。従って、第３遮断機２２が動作して他の電子機器に悪影響を与えるということも無い。
【００１８】
また、第２の絶縁材料１３４の被覆が剥がれ、導電網線１３３が装置のフレームグランド１８に接触する異常が発生している状態でＡＣ電源の供給ライン１３から画像形成装置１１にＡＣ電源が投入されると、＋ＶＥ電源と＋ＶＣＣ電源が立ち上がる。そして、ＡＣ電源の供給ライン１３の導電網線１３３がフレームグランド１８に接触しているので、増幅器１６からの信号Ｓ１はローレベルとなる。従って、トランジスタ１４１はオフ状態を保持し、ソレノイド１４２は動作しない。従って、その接点１４２ａ，１４２ｂは開放したままとなり、定着ランプ１２への通電が開始されることはない。
【００１９】
（第２の実施の形態）
図５に示すように、内部に定着ランプ３１を設けた定着ローラ３２に近接して、例えば、３個のサーミスタ３３，３４，３５を配置し、これらのサーミスタ３３，３４，３５からの信号線３３ａ，３３ｂ、３４ａ，３４ｂ、３５ａ，３５ｂを回路基板３６に接続している。
【００２０】
前記回路基板３６には、ＣＰＵ（セントラル・プロセッシング・ユニット）３７、ＲＯＭ（リード・オンリー・メモリ）３８、ＲＡＭ（ランダム・アクセス・メモリ）３９、Ｉ／Ｏポート４０等が配置され、これらはバスラインによって互いに電気的に接続されている。そして、前記各サーミスタ３３，３４，３５からの温度検知情報をＩ／Ｏポート４０を介して取込み、前記ＣＰＵ３７はプログラム制御によって前記定着ランプ３１への通電を制御し、定着ローラ３２の温度を一定に制御するようになっている。
【００２１】
前記各サーミスタ３３，３４，３５の信号線３３ａ，３３ｂ、３４ａ，３４ｂ、３５ａ，３５ｂは、図６に示すように、通電用導線５１を芯線とし、この通電用導線５１を第１の絶縁材料５２で被覆し、その第１の絶縁材料５２の周囲を導電網線５３で包囲し、その導電網線５３を第２の絶縁材料５４で被覆した電線で構成している。
【００２２】
そして、各信号線３３ａ，３３ｂ、３４ａ，３４ｂ、３５ａ，３５ｂの導電網線５３をそれぞれリード線５５の一端に接続し、この各リード線５５の他端を反転入力形オアゲート５６の反転入力端子に接続している。そして、前記オアゲート５６の出力端子から信号Ｓ２を出力し、この信号Ｓ２を前記回路基板３６のＩ／Ｏポート４０に供給している。なお、前記各リード線５５はそれぞれ抵抗を介して＋ＶＣＣ端子に接続し、各信号線３３ａ，３３ｂ、３４ａ，３４ｂ、３５ａ，３５ｂの導電網線５３が接地されない状態ではハイレベル状態になっている。
【００２３】
前記ＣＰＵ３７はＩ／Ｏポート４０に入力される信号Ｓ２がハイレベルになると異常検出信号と判断して前記定着ランプ３１への通電を停止させるようになっている。なおこの場合に、ＡＣ電源の供給ラインに挿入されている遮断機のブレーカをオフさせて装置自体に供給される電源を遮断してもよい。
【００２４】
このような構成においては、サーミスタ３３，３４，３５からの信号線３３ａ，３３ｂ、３４ａ，３４ｂ、３５ａ，３５ｂが正常な状態では各リード線５５はハイレベルとなっており、オアゲート５６から出力される信号Ｓ２はローレベルになっている。この状態ではＣＰＵ３７は信号線の正常状態を判断することになる。
【００２５】
そして、動作中に信号線３３ａ，３３ｂ、３４ａ，３４ｂ、３５ａ，３５ｂの一部がモータの駆動軸に巻き込まれるなどのトラブルが発生し、これにより第２の絶縁材料１３４の被覆が剥がれ、その第２の絶縁材料１３４がフレームグランドに接触する事態になると、リード線５５の一部のレベルがローレベルに反転する。これにより、オアゲート５６からの出力信号Ｓ２がローレベルからハイレベルに反転する。すなわち、オアゲート５６から異常検出信号が発生する。
【００２６】
この異常検出信号は回路基板３６のＩ／Ｏポート４０に入力される。これにより、ＣＰＵ３７は定着ランプ３１への通電を停止させる。このように、信号線３３ａ，３３ｂ、３４ａ，３４ｂ、３５ａ，３５ｂに異常が発生した時には安全サイドに制御が行われる。そして、この場合においても屋内に配置されている分電盤の遮断機が動作することはない。
【００２７】
なお、前述した各実施の形態は本発明を画像形成装置に適用したものについて述べたがこれに限定するものではなく、他の電子機器にも適用できるものである。
【００２８】
【発明の効果】
以上詳述したように本発明によれば、通電用導線を第１の絶縁材料で被覆し、その第１の絶縁材料の周囲を導電網線で包囲し、その導電網線を第２の絶縁材料で被覆した電線を使用し、通電用導線が短絡事故を起こす前に電線の異常を検出して安全サイドに制御できる電子機器の安全装置を提供できる。
【図面の簡単な説明】
【図１】本発明の、第１の実施の形態を示す要部構成図。
【図２】同実施の形態における第１遮断機の回路構成を示す図。
【図３】同実施の形態におけるＡＣ電源供給ラインの構成と検出手段の構成を示す図。
【図４】同実施の形態の検出手段による検出動作を説明するための図。
【図５】本発明の、第２の実施の形態を示す要部構成図。
【図６】同実施の形態におけるサーミスタに接続している信号線の構成を示す図。
【図７】従来例を示す図。
【符号の説明】
１１…画像形成装置、１２…定着ランプ、１３…ＡＣ電源の供給ライン、１４…第１遮断機、１３１…通電用導線、１３３…導電網線、１６…増幅器、１７…抵抗。
【図１】
2005026075.tif 000003
【図２】
2005026075.tif 000004
【図３】
2005026075.tif 000005
【図４】
2005026075.tif 000006
【図５】
2005026075.tif 000007
【図６】
2005026075.tif 000008
【図７】
2005026075.tif 000009